(57)【特許請求の範囲】
【請求項１】
口頸部（101 ）外周に装着筒（10）を嵌合させて容器体（100 ）に装着するとともに、装着筒（10）と口頸部（101 ）外周とに抜け出しを防止して係合させた抜け出し防止手段を備え、且つ、装着筒（10）上方へ嵌合筒（13）を立設した中栓（Ａ）と、嵌合筒（13）外周に周壁（30）を螺合して中栓（Ａ）に着脱可能に装着するとともに、周壁（30）下端縁より装着筒（10）外周にリング（Ｃ）を垂設したキャップ（Ｂ）とを備え、キャップ周壁（30）下端縁の一部とリング（Ｃ）上端縁の一部とが連結部（40）を介して一体に連結されているとともに、連結部（40）以外の非連結部分に於いて、キャップ周壁（30）下端縁とリング（Ｃ）上端縁とが周方向複数の易切断性連結片（41）で連結されている易分別性の複合キャップに於いて、リング（Ｃ）の連結部（40）両側位置に一対のスリット（42）を設けたことを特徴とする易分別性の複合キャップ。
【請求項２】
前記中栓（Ａ）を、装着筒（10）の上端縁より口頸部（101 ）  上に延設したフランジ（12）を介して嵌合筒（13）を立設して構成し、前記キャップ周壁（30）の外周下端部と、嵌合筒（13）外周に位置するリング（Ｃ）の上端部とを、前記連結部（40）及び易切断性連結片（41）で連結した請求項１記載の複合キャップ。
【請求項３】
中栓（Ａ）を軟質プラスチックで形成した請求項１又は請求項２のいずれかに記載の複合キャップ。
【発明の詳細な説明】
【技術分野】
【０００１】
本発明は中栓とキャップとからなる複合キャップに関し、詳しくは、廃棄の際に装着した容器体からの取り外しが容易な易分別性の複合キャップに関する。
【背景技術】
【０００２】
廃棄の際に容器体から簡単に分離できて、分別処理が容易な易分別性の複合キャップに関して、本出願人は既に提案している。（例えば特許文献１参照）
【０００３】
上記特許文献１の複合キャップは、外周に装着筒を嵌合させて容器体に装着するとともに、装着筒と口頚部外周とに抜け出しを防止して係合させた抜け出し防止手段を備え、且つ、装着筒上方へ嵌合筒を立設した中栓と、嵌合筒外周に周壁を嵌合係止して中栓に着脱可能に装着するとともに、周壁下端縁より装着筒外周にリングを垂設したキャップとを備え、キャップ周壁下端縁の一部とリング上端縁の一部とが連結部を介して一体に連結されているとともに、連結部以外の非連結部分に於いて、キャップ周壁下端縁とリング上端縁とが周方向複数の易切断性連結片で連結されている。
【０００４】
そして、廃棄の際にはキャップをリング共々螺脱した後、キャップをもってリングを引っ張る等して各易切断性連結片を切断するとともに、連結部を中心にキャップに対してリングを回動させ、再びキャップを中栓に螺着できる位置まで回動させる。しかる後、その状態でキャップを中栓に螺着させ、次いでその状態からリングを上方に引き上げると、キャップと中栓は螺合しているため外れず、中栓が持ち上げられて容器体から外れる如く構成している。
【特許文献１】特願２００８−０４７７９２号
【発明の開示】
【発明が解決しようとする課題】
【０００５】
上記複合キャップは、容器使用後の廃棄の際に容器体から簡単に取り外すことができ、取り外す際には治具を用いずに行うことができ、また、容器体装着時には確実に固定されて嵌合弛み等の虞れがなく、取り外す際には効率よく力が伝達して取り外し易い等の効果を発揮する優れたものである。
【０００６】
本発明は上記複合キャップを更に改良したものであり、リングとキャップとの充分な連結強度を備えつつ、リングのキャップに対する回動がより行い易く、中栓の取り外し操作をより簡便且つ確実に行える易分別性の複合キャップを提案する。
【課題を解決するための手段】
【０００７】
第１の手段として、以下の通り構成した。即ち、口頸部101 外周に装着筒10を嵌合させて容器体100 に装着するとともに、装着筒10と口頸部101 外周とに抜け出しを防止して係合させた抜け出し防止手段を備え、且つ、装着筒10上方へ嵌合筒13を立設した中栓Ａと、嵌合筒13外周に周壁30を螺合して中栓Ａに着脱可能に装着するとともに、周壁30下端縁より装着筒10外周にリングＣを垂設したキャップＢとを備え、キャップ周壁30下端縁の一部とリングＣ上端縁の一部とが連結部40を介して一体に連結されているとともに、連結部40以外の非連結部分に於いて、キャップ周壁30下端縁とリングＣ上端縁とが周方向複数の易切断性連結片41で連結されている易分別性の複合キャップに於いて、リングＣの連結部40両側位置に一対のスリット42を設けた。
【０００９】
第２の手段として、以下の通り構成した。即ち、前記第１の手段に於いて、前記中栓Ａを、装着筒10の上端縁より口頸部101 上に延設したフランジ12を介して嵌合筒13を立設して構成し、前記キャップ周壁30の外周下端部と、嵌合筒13外周に位置するリングＣの上端部とを、前記連結部40及び易切断性連結片41で連結した。
【００１０】
第３の手段として、以下の通り構成した。即ち、前記第１の手段又は第２の手段のいずれかの手段に於いて、中栓Ａを軟質プラスチックで形成した。
【発明の効果】
【００１１】
本発明の複合容器は、リングＣの連結部40両側位置に一対のスリット42を形成しているので、キャップＢとリングＣの間の連結部40の連結幅が小さくても、連結部40を容易に屈曲或いは湾曲させることができ、中栓Ａ取り外しの際に取り扱い易く円滑な取り外しを行える。また、連結部40の充分な強度を得る為に連結部40の横幅を大きいものとした場合でも、スリット42の切込み幅を長めに調整する等により連結部40を容易に屈曲或いは湾曲させることができる。また、嵌合筒13周囲に着脱可能に嵌合係止させたキャップＢを介して取り外すための力が伝達されるため、力が中栓Ａの装着筒10の全体に亘って及ぼされる傾向があり、容器使用後の廃棄の際に容易に取り外すことができ、その操作も極めて簡単に行うことができ、分別廃棄を容易に行える。また、取り外しに当たり治具等を必要とせずに行える利点もある。また、リングＣは周壁30を延設した状態のキャップＢの一部として構成されているため、使用時に邪魔となることはなく取り扱いも極めて便利である。
【００１２】
嵌合筒13外周に周壁30を嵌合した際の係止手段を螺合とした場合は、キャップＢを簡単に着脱することができ、しかも容器使用後の廃棄の際にリングＣからの周壁30を上方へ引き上げる大きな力がかかっても嵌合筒13と周壁30とが外れる虞れは全くなく、より確実に装着筒10を口頸部101 から離脱することができる。
【００１３】
中栓Ａを、装着筒10の上端縁と嵌合筒13の下端縁とを、口頸部101 上に延設したフランジ12により連結して構成し、前記キャップ周壁30の外周下端部と、嵌合筒13外周に位置するリングＣの上端部とを、前記連結部40及び易切断性連結片41で連結した場合は、リングＣとキャップＢとの径差の存在がスリット42の存在と相俟って、更に無理のないリングＣの回動を行える利点がある。また、キャップ周壁30の螺着終点を確実に特定でき、装着筒10の嵌合がしっかりとした強固な嵌合となる。
【００１４】
中栓Ａを軟質プラスチックで形成した場合には、係合部分である装着筒10等が変形し易く、より取り外し易くなる。
【発明を実施するための最良の形態】
【００１５】
以下、本発明の実施例の形態を図面を参照して説明する。
【００１６】
図１乃至図５は易分別性の複合キャップ１の一例を示すもので、複合キャップ１は、中栓Ａと、キャップＢと、リングＣとを備えている。
【００１７】
複合キャップ１は、容器体100 の口頸部101 に装着して使用する。容器体100 の口頸部101 外周には装着する中栓Ａを係止するための係止突条102 を突周設している。
【００１８】
中栓Ａは、口頸部101 外周に装着筒10を嵌合させて容器体100 に装着している。装着筒10の内周下端部には係合突条11を突周設し、この係合突条11を口頸部101 外周の係止突条102 に乗り越え係合させて上方への抜け出し防止を図っている。また、装着筒10の上端より内方へフランジ12を延設し、フランジ12の内周縁より上方に、外周に螺条を周設した嵌合筒13を立設している。また、フランジ12の内周縁より下方へ垂設したシール筒14を口頸部101 内周上端に液密に嵌合させてこの部分に液密性を付与する如く構成している。
【００１９】
また、周壁30の上端縁より内方へ延設したフランジ状頂板15の内周縁に、外面上部を一体に連結して、嵌合筒13の内側に二重筒状に注出筒16を垂設している。注出筒16の上端部は嵌合筒13の上方に於いてラッパ状に広げられ、また、下端部に横設した閉塞壁17により容器体100 内外を遮断している。閉塞壁17には線状の薄肉部18により囲成された除去壁部17a を画成し、除去壁部17a の上部より支柱19を介してプルリング20を立設している。中栓Ａは、熱可塑性合成樹脂等の一般的な合成樹脂で形成することができるが、例えばＡＳＴＭで定義される如き軟質プラスチックを使用すれば、より取り外しが容易となる。
【００２０】
キャップＢは、内周に螺条を周設した周壁30上端縁より頂壁31を延設した下端開口の有頂筒状をなし、周壁下端縁よりリングＣを一体に垂設している。そして、周壁30を嵌合筒13外周に螺着して中栓Ａに着脱可能に装着している。その際、周壁30下面が螺着終点位置でフランジ12上面に当接する如く構成している。また、頂壁31の裏面からは、注出筒16の内周上端部に液密に嵌合するシール筒部32を垂設しており、キャップＢ装着時にその部分のシール性を付与する如く構成している。尚、キャップＢの嵌合筒13への係止手段としては、本例の如き螺合に限らず、例えば、嵌合筒13外周に設けたＬ字状の係合溝にキャップ周壁30内面に突設した係合突起を係合溝の垂直部分を下降させた後水平部分へ回動させることで係止させる、所謂ツイストロック方式を採用でき、その他上方への抜け出しを防止して係止できる公知手段を採用できる。
【００２１】
リングＣは、キャップＢと合成樹脂により一体に形成されたもので、その上端縁の一部とキャップ周壁30下端縁の一部とを連結部40を介して連結するとともに、連結部40以外の非連結部分に於いて、両者を周方向複数の易切断性連結片41で連結している。また、リングＣの連結部40両側位置に、連結部40両側辺をそれぞれ延長する一対のスリット42を設けている。連結部40は廃棄の際当該部分を中心にリングＣを回動させることが可能で、しかも、回動させた後にキャップＢを中栓Ａに嵌合させて強く引き上げても切断しない必要がある。従って、これらの要件を満たすべく所定の肉厚、横幅、スリット42の切込み幅等を設定する。
【００２２】
リングＣを回動させる都合上、キャップ周壁30下端縁とリングＣ上端縁との間には隙間を設けると良く、それに伴って連結部40の連結幅も大きくなり、回動の容易さを引き出すことができる。図示例では、リングＣをキャップ周壁30の外周より大径に形成してその上端部とキャップ周壁30の外周面下端とを上記連結部40及び易切断性連結片41で連結している。易切断性連結片41は、図４に示す如く、連結部40以外の非連結部分に於いて、キャップ周壁30下端縁とリングＣ上端縁との間に周方向略等間隔に複数設けている。
【００２３】
上記の如く構成した易分別性の複合キャップ１を使用する場合について説明する。まず、図１の状態から周壁30を回動させてキャップＢを螺脱し、キャップＢ及びリングＣを中栓Ａから取り外すことができる。次いで、プルリング20を掴んで引き上げれば線状の薄肉部18が破断して閉塞壁17に注出口が開口する。この状態で容器体100 内液を注出口を介して注出筒16より注出して使用することができる。液注出後にはキャップＢを螺着すれば、シール筒部32が注出筒16に嵌合して液漏れを防止してキャップＢを装着しておくことができる。この際、リングＣは装着筒10外周に嵌合されている。
【００２４】
内溶液を使用し終えた場合に、容器体100 と複合キャップ１とを分別廃棄する場合には、まず、キャップＢをリングＣと共々螺脱した後、キャップＢをもってリングＣを引っ張る等して各易切断性連結片41を切断するとともに、リングＣを連結部40を中心にキャップＢに対して回動させ、再びキャップＢを中栓Ａに螺着できる位置まで回動させる。この際各スリット42の存在で、強度を得るために充分大きな横幅を備えた連結部40であっても容易に湾曲させることができる。しかる後、図５に示す如く、その状態でキャップＢを中栓Ａに螺着させる。ついで、その状態からリングＣを上方へ引き上げると、キャップＢと中栓Ａは螺合しているため外れず、中栓Ａが持ち上げられて容器体100 から外れる。
【図面の簡単な説明】
【００２５】
【図１】複合キャップの半断面図である。（実施例１）
【図２】複合キャップの連結部の要部縦断面図である。（実施例１）
【図３】複合キャップの背面図である。（実施例１）
【図４】複合キャップの平面図である。（実施例１）
【図５】複合キャップの取り外しの際の斜視図である。（実施例１）
【符号の説明】
【００２６】
１…複合キャップ
Ａ…中栓
10…装着筒，11…係合突条，12…フランジ，13…嵌合筒，14…シール筒，
15…頂板，16…注出筒，17…閉塞壁，17a …除去壁部，18…薄肉部，19…支柱，
20…プルリング                                                                Ｂ…キャップ
30…周壁，31…頂壁，32…シール筒部
Ｃ…リング
40…連結部，41…易切断性連結片，42…スリット
100 …容器体
101 …口頸部，102 …係止突条
【図１】
0005088793.tif 000002
【図２】
0005088793.tif 000003
【図３】
0005088793.tif 000004
【図４】
0005088793.tif 000005
【図５】
0005088793.tif 000006